(57)【特許請求の範囲】
【請求項１】
パネルと、このパネルのうちその正面視でその左右両端に取付けた中空状の支柱と、これら左右支柱を支持する左右一対のアジャスター受けと、前記パネルの下方に配置された表裏一対の薄板製巾木とを備えており、
前記アジャスター受けの上部に、支柱の下端部が横ずれ不能に嵌まる嵌合部と、該嵌合部に嵌合した支柱の下端面が載るフランジとを形成している一方、
前記巾木の上端と下端とに、パネルの側面視で内向きに突出する上下の係止片を折り曲げ形成しており、上係止片はパネルの下面と重なり、下係止片はアジャスター受けの下部に形成した下係合部に係合する間仕切であって、
前記巾木の上端に設けた上係止片の先端部はパネルの側面視で下向き凸の山形に形成され、前記巾木の下端に設けた下係止片の先端部はパネルの側面視で上向き凸の山形に形成されている一方、
前記アジャスター受けの下部に形成した下係合部は、前記巾木を側面視で傾斜した姿勢にすることによって下係止片の山形部分が外側から嵌まると共に、巾木を起立姿勢にすると上下動不能に保持されるようにパネルの側面視で水平外側に開口した溝形に形成されており、
更に、前記左右支柱の下端部又はパネルの下端部に、前記巾木の下係止片を下係合部に嵌め入れた状態で巾木を起立回動させると巾木における上係止片の山形部分が弾性に抗しての変形によって係合する支持片が設けられている、
衝立式間仕切。
【請求項２】
平面視で一列状に並べた２枚のパネルを１本の中空状中間支柱に取付け、両パネルの下方の箇所に別々の巾木をそれぞれ表裏一対ずつ配置している一方、前記中間支柱を支持する中間アジャスター受けの下部に、前記パネルの正面視において中間アジャスター受けを挟んで左右両側に位置した巾木の下係止片が嵌まり係合する溝形の下係合部を、壁部を挟んだ状態で左右に振り分け形成している、
請求項１に記載した衝立式間仕切。
【発明の詳細な説明】
【発明の属する技術分野】
【０００１】
本発明は、巾木を備えた衝立式間仕切に関するものである。
【従来の技術】
【０００２】
衝立式の間仕切に巾木を取付ける構造として実開平３−２５７１４号公報には、パネルの左右両端を中空状支柱に取付けて、これら左右支柱の下端部をそれぞれアジャスター受けの上部に嵌め入れて、アジャスター受けの上部に設けたたフランジで支柱を支持した場合において、巾木の上端と下端とをそれぞれアジャスター受けに取付けることが記載されている。
【０００３】
すなわちこの公報のものは、巾木の上下両端に鉤状で内向きの係止片を折り曲げ形成する一方、アジャスター受けの上部には、巾木の上係止片が嵌る溝状の上係合部を、アジャスター受けの下端部には、巾木の下係止片が係合する下係止片をそれぞれ形成して、巾木の上下係止片を、その弾性に抗してアジャスター受けの上下係合部に係脱させるようにしたものである。
【０００４】
しかし、この公報の形態では、巾木の上端面とパネルの下端面との間に隙間が開くため、美感の点やゴミ侵入防止の面で問題があった。
【０００５】
これに対して図６（Ａ）に示す形態のものがある。すなわちこのものは、アジャスター受け３０の下端に、巾木３１の下係止片３１ａが引っ掛かる下係合部３２を形成する一方、パネル３３又は支柱３４に上係合部材３５を固着し、この上係合部材３５に、パネル３３における前後両端部の下方に位置する支持片３５ａを形成し、この支持片３５ａに突起３６を設けたもので、巾木３１は、先ずその下係止片３１ａをアジャスター受け３０の下係合部３２に引っ掛けてから、上係止片３１ｂを、パネル３３と支持片３５ａとの間に弾性に抗して差し込むことによって取付けられる。
【０００６】
支柱３４の下部はアジャスター受け３０の上部３０ａに部分的に嵌合しており、その状態で、アジャスター受け３０に設けたフランジ（図示せず）で支柱３４が支持されている。また、上係合部材３５を介して上向き開口の樋状体３８を吊支し、この樋状体３８によって前後巾木が接近し過ぎるのを阻止すると共に、コード類を這わせるようにしている。
【０００７】
この図６の形態によると、巾木３１の上端面をパネル３３の下面に密着させることができるため、美感において優れていると共にゴミの侵入を防止できる利点がある。
【発明が解決しようとする課題】
【０００８】
ところで、巾木３１を製造するに当たって加工誤差が生じることは避けることができず、このため、表裏巾木３１の高さ寸法が違うことがある。この場合、高さ寸法の大きい一方の巾木３１を取付けると、当該一方の巾木３１がアジャスター受け３０の下係合部３２とパネル３３の下端面との間に大きく突っ張った状態になって、一方の巾木３１によってパネル３３及び支柱３４が持ち上げられ、支柱３４の下端が一点鎖線で示すようにアジャスター受けのフランジから浮いてしまうことがある。
【０００９】
このため、他方の巾木３１を取付けると、当該他方の巾木３１の下係止片３１ａがアジャスター受け３０の下係合部３２から浮き勝手になって、他方の巾木３１がガタ付いたり外れ易くなったりするという問題があった。
【００１０】
また、この種の間仕切では、図６（Ｂ）に示すように、隣合ったパネル３３を１本の中間支柱３４で支持し、各パネル３３の下方ごとに巾木３１を装着するようにしているが、この場合、中間支柱３４を支持するアジャスター受け３０には、左右に隣合った巾木３１の下係止片３１ａに対する下係合部３２を一連に繋がった状態で形成しているに過ぎないため、図６（Ｂ）に示すように、巾木３１の端面とパネル３３の端面とが揃わずに体裁が悪くなる場合があった（この問題は、前記実開平３−２５７１４号公報も同じであった）。
【００１１】
本発明はこれらの問題を解消することを目的とするものである。
【課題を解決するための手段】
【００１２】
このため請求項１では、
「パネルと、このパネルのうちその正面視でその左右両端に取付けた中空状の支柱と、これら左右支柱を支持する左右一対のアジャスター受けと、前記パネルの下方に配置された表裏一対の薄板製巾木とを備えており、
前記アジャスター受けの上部に、支柱の下端部が横ずれ不能に嵌まる嵌合部と、該嵌合部に嵌合した支柱の下端面が載るフランジとを形成している一方、
前記巾木の上端と下端とに、パネルの側面視で内向きに突出する上下の係止片を折り曲げ形成しており、上係止片はパネルの下面と重なり、下係止片はアジャスター受けの下部に形成した下係合部に係合する（構成ｃ）間仕切であって、
前記巾木の上端に設けた上係止片の先端部はパネルの側面視で下向き凸の山形に形成され、前記巾木の下端に設けた下係止片の先端部はパネルの側面視で上向き凸の山形に形成されている一方、
前記アジャスター受けの下部に形成した下係合部は、前記巾木を側面視で傾斜した姿勢にすることによって下係止片の山形部分が外側から嵌まると共に、巾木を起立姿勢にすると上下動不能に保持されるようにパネルの側面視で水平外側に開口した溝形に形成されており、
更に、前記左右支柱の下端部又はパネルの下端部に、前記巾木の下係止片を下係合部に嵌め入れた状態で巾木を起立回動させると巾木における上係止片の山形部分が弾性に抗しての変形によって係合する支持片が設けられている、」
の構成にした。
【００１３】
また、請求項２では、請求項１を前提として、
「平面視で一列状に並べた２枚のパネルを１本の中空状中間支柱に取付け、両パネルの下方の箇所に別々の巾木をそれぞれ表裏一対ずつ配置している一方、前記中間支柱を支持する中間アジャスター受けの下部に、前記パネルの正面視において中間アジャスター受けを挟んで左右両側に位置した巾木の下係止片が嵌まり係合する溝形の下係合部を、壁部を挟んだ状態で左右に振り分け形成している」
の構成にした。
【００１４】
なお、上係止部はパネルの左右両端部の箇所のみに設けても良いし、パネルの略全長にわたって延びるように設けてもよい。
【発明の奏する効果】
このように構成すると、巾木の下係止片はアジャスター受けの下係合部に対して上下動不能に嵌合するから、表裏２の巾木に加工誤差があって一方の巾木によってパネル及び支柱が押し上げられても、他方の巾木は支持片と下係合部とを弾性的に挟むような状態になり、従って、巾木がガタ付いたり容易に外れたりすることを防止できると共に、パネル及び支柱がアジャスター受けから浮き上がることも防止又は抑制できる。
【００１５】
また、請求項２のように構成すると、隣合ったパネルの下方に位置する巾木の下係止片は、中間アジャスター受けに形成された下係合部に対して壁部を挟んだ状態で嵌まり係合しているおり、それら巾木の端面がアジャスター受けの壁部によって規制されているから、各巾木を、その上方に位置したパネルと端面が揃うように強制的に位置決めすることができ、その結果、パネルと巾木との端面が不揃いとなって美感が悪化することを防止できる。
【発明の実施形態】
【００１６】
次に、本発明の実施形態を図１〜図５に基づいて説明する。
【００１７】
図１は間仕切１の正面図、図２は図１のII−II視平断面図、図３のうち（Ａ）は要部の拡大正面図、（Ｂ）は更に（Ａ）の要部拡大図、図４は図３（Ａ）のIV−IV視断面図、図５は分解斜視図である。
【００１８】
間仕切１は、複数枚のパネル２を平面視で直線状に接続することによって構成されており、相隣接したパネル２は１本の中間支柱３に取付けられている。また、各パネル２の端部のうち間仕切１の両端に位置した部位はエンド支柱４に取付いている。各パネル２の下方にはそれぞれ表裏一対ずつの金属板製巾木５を装着している。
【００１９】
間仕切１の両端にはエンドカバー６が装着されており、また、間仕切１の上面には天カバー７が装着されている。例えば図２（Ａ）に示すように、各支柱３，４は断面Ｃ字状の中空状に形成されている（角筒状等でも良い）。
【００２０】
他方、パネル２は、ハニカム材等の芯部２ａとその表裏両面に張設した表面板部２ｂとから成っており、パネル２の左右両側面には、支柱３，４に対して部分的に嵌合する縦溝８が形成されている。縦溝８の上下複数箇所にはブラケット９がねじ止めされており、これらブラケット９に突設した下向き鉤状の係止爪１０を、支柱３，４の側板に穿設した角孔１１に落とし込み係合することにより、パネル２を支柱３，４に取付けている。
【００２１】
なお、図示していないが、支柱３，４の表裏両面には、棚板支持用ブラケットを係脱自在な係合穴が上下適宜間隔で多数穿設されており、このため、隣合ったパネル２の側端面間及びパネル２とエンドカバー６との間に隙間を設けて、係合穴を露出させている。
【００２２】
例えば図５に示すように、中間支柱３は中間アジャスター受け１２で支持され、エンド支柱４はエンドアジャスター受け１３で支持されている。これらアジャスター受け１２，１３の上部には、支柱３，４に対して横ずれ不能に嵌まる嵌合部１３と、支柱３，４が載るフランジ１５とが形成されている。
【００２３】
また、図面では明示していないが、アジャスター受け１２，１３には、アジャスターボルト１６が螺合する雌ねじ穴を下向き開口させている。
【００２４】
例えば図４に示すように、前記巾木５の上端には、先端を下向き山状に屈曲させた鉤状で内向きの上係止片１７が折り曲げ形成されており、巾木５の下端には、先端を上向き山状に屈曲させた鉤状で内向きの下係止片１８が折り曲げ形成されている。
【００２５】
他方、アジャスター受け１２，１３の下部には、表裏巾木５の下係止片１８が嵌まり係合する溝形の下係合部１９を形成している。この場合、図５に示すように、エンドアジャスター受け１３には表裏一対の巾木５が取付くのみであるので、下係合部１９も前後一対しか設けていない。他方、中間アジャスター受け１２においては、その下部の前後両側に、左右に隣接した巾木５の下係止片１８が嵌まる一対ずつの下係合部１９を、それぞれ壁部２０を挟んで振り分け状に形成している。すなわち、中間アジャスター受け１２には、前後左右４つの下係合部１９を形成している。
【００２６】
図４及び図５に示すように、パネル２の下面には底溝２１が形成されており、この底溝２１の左右両端部に金属板製又は合成樹脂製等の上係合部材２２をねじ止め等にて固着している。そして、上係合部材２２の前後両側に、パネル２における表面板部２ｂの下方に位置する支持片２２ａを連接し、該支持片２２ａの上面に突起２３を設け、巾木５の上係止片１７を、突起２３を乗り越えるようにして表面板部２ｂと支持片２２ａとの間の隙間に押し込こみ挿入できるようにしている。巾木５の上係止片１７は、支持片２２ａとパネル２の表面板部２ｂとの間に嵌め込んだ状態で、パネル２の表面板部２ｂに密着するような寸法に設定している。
【００２７】
図４に示すように、巾木５は、先ず傾斜状の姿勢にして下係止片１８をアジャスター受け１２，１３の下係合部１９に嵌め込んでから、全体をパネル２に向けて起立回動させて、上係止片１７を間仕切１は支持片２２ａとの間の隙間に押し込むことによって装着される。取り外しは逆の順序で行われる。
【００２８】
このようにして巾木５を取付けるにおいて、巾木５の高さ寸法に加工誤差があり得る。その場合、表裏巾木５の高さ寸法が異なって、高さ寸法の大きい一方の巾木５によってパネル２が若干押し上げられてしまうことがあっても、他方の巾木５の下係止片１８は、下係合部１９の上部を構成するリブ１９ａに引っ掛かっていて上向き動不能に保持されているから、当該他方の巾木５は、上係合部材２２と下係合部１９とを上下から弾性的に挟むような状態になり、従って、他方の巾木５にガタ付きが生じたり外れやすくなったりすることはない。
【００２９】
また、高さ寸法の小さい他方の巾木５によって、アジャスター受け１２，１３と上係合部材２２とが密着し勝手に保持されるから、パネル２及び支柱３，４の浮き上がり現象も防止又は抑制できる。
【００３０】
そして、中間アジャスター受け１２を挟んで両側に位置した巾木５は、その端面の位置がアジャスター受け１２，１３の下部の壁部２０によって規制されているから、図３（Ａ）に示すように、各巾木５を、その左右側端面がパネル２の側端面と揃うように正確に位置決めすることができるのである。
【００３１】
なお、表裏巾木５の間の空間に、図６で示したような樋状体３８を配置しても良い。
【図面の簡単な説明】
【００３２】
【図１】間仕切の正面図である。
【図２】図１のII−II視平断面図である。
【図３】（Ａ）は要部の拡大正面図、（Ｂ）は更に（Ａ）の部分拡大図である。
【図４】図３（Ａ）のIV−IV視断面図である。
【図５】分解斜視図である。
【図６】従来例を示す図である。
【符号の説明】
【００３３】
１  間仕切
２  パネル
３  中間支柱
４  エンド支柱
５  巾木
１２  中間アジャスター受け
１３  エンドアジャスター受け
１４  嵌合部
１５  フランジ
１７，１８  巾木の係止片
１９  下係合部
２０  壁部
２２  上係合部材
【図１】
0003585012.tif 000002
【図２】
0003585012.tif 000003
【図３】
0003585012.tif 000004
【図４】
0003585012.tif 000005
【図５】
0003585012.tif 000006
【図６】
0003585012.tif 000007